(57)【要約】      （修正有）【課題】緑茶の芳香や移り香で気持ちを和ませ、かつ、緑茶の抗菌性などによってティッシュケースに後で触れた人が風邪などの病原体に感染する危険を防止することができるプラスチック製のティッシュケースを提供する。【解決手段】緑茶ティッシュケースを、上部を開口した有底の容器本体１と、この上部の容器開口部３に着脱可能にはまり、かつ、容器本体の底部まで落し込み可能な落としフタ４とを有し、この落としフタ４にティッシュペーパー取出し口５を設けたティッシュケースにおいて、少なくともこの落としフタ４を緑茶の茶葉ないし茶殻を粉末にしてプラスチックに混ぜて成形した。【選択図】図１
2005178891.tif 000002
【特許請求の範囲】
【請求項１】
上部を開口した有底の容器本体と、この上部の容器開口部に着脱可能にはまり、かつ、容器本体の底部まで落し込み可能な落としフタとを有し、この落としフタにティッシュペーパー取出し孔を設けたティッシュケースにおいて、少なくともこの落としフタを緑茶の茶葉ないし茶殻を粉末にしてプラスチックに混ぜて成形したものであることを特徴とする緑茶ティッシュケース。
【発明の詳細な説明】
【技術分野】
【０００１】
この発明は、市販の紙箱入りティッシュペーパーを紙箱から移し変えて用いるプラスチック製のティシュケースであって、芳香を有し、かつ、少なくともティッシュペーパーを取出すときに手が触れる可能性がある部分に抗菌性ないし殺菌性をもたせたティッシュケースに関するものである。
【背景技術】
【０００２】
お茶の香りは気持ちを和ませる効果があることは知られており、飲むお茶の香りだけでなく、茶香炉などで香りだけを楽しむことも行なわれていて、さらに、ティッシュペーパーにさまざまな芳香を染み込ませたものが市販されているが、芳香を有する市販のティッシュペーパーは日用品としては購入しにくい割高な価格であった。
【０００３】
また、紙箱入りのティッシュペーパーを整った部屋に置くことは不似合いに感じて、その部屋の雰囲気に似合うプラスチック製などのティッシュケースへ紙箱内のティッシュペーパーを移し変えて用いる人も多々あった。
【０００４】
さらに、風邪を引いた人は鼻水を拭き取るときなどにティッシュペーパーをよく使うが、ティッシュペーパーを取るときに手がティッシュケースの取出し口付近などに触れることがしばしばある。ところが、風邪を引いた人などの手には風邪などの病原体が付いていて、この手から病原体がティッシュケースの取出し口付近に付着し、このティッシュケースの取出し口付近に後から触れた人がティッシュケースの取出し口付近を介して病原体に感染する危険があった。
【０００５】
しかし、このような感染に予防策を講じ、かつ、香りにより気持ちを和ませる効果を有するティッシュケースは知られていなかった。
【０００６】
しかも、茶葉などのプラスチック以外のものをポリプロピレン等のプラスチックに混ぜて射出成形する技術は、混ぜるものを適宜乾燥させて、ドライカラー着色法やマスターバッチの製造技術等で顔料などの着色剤等を原料樹脂に混ぜる技術、あるいはプラスチックの比重や剛生を増すためプラスチックにタルクを添加する際に用いる添加剤の分散技術を応用することにより可能であり、緑茶の抗菌性ないし殺菌性は例えば特開２００３−９６３１９で開示されているように周知ないし公知のことであった。
【発明の開示】
【発明が解決しようとする課題】
【０００７】
この発明は、紙箱入りのティッシュペーパーを紙箱から移し変えて使うプラスチック製のティッシュケースであって、ティッシュケースが有する緑茶の芳香や、その中に納めたティッシュペーパーに移ったティッシュケースの緑茶の芳香、すなわち、ティッシュペーパーに移った緑茶の移り香により使う人の気持ちを和ませることができ、かつ、少なくともティッシュケースの落としフタに緑茶の抗菌性ないし殺菌性を持たせることにより、風邪を引いた人などの手が落としフタに触れて風邪などの病原体が落としフタに付着しても落としフタに含有させた緑茶の抗菌性ないし殺菌性によって病原体を弱体化または死滅させ、後で他の人がこのティッシュケースの落としフタに触れても後で触れた人の手に病原体が移りにくくすることにより後で触れた人がティッシュケースを介して風邪などの病原体に感染する危険を防止することを目的とする。
【課題を解決するための手段】
【０００８】
この発明の緑茶ティッシュケースは、上部を開口した有底の容器本体と、この上部の容器開口部に着脱可能にはまり、かつ、容器本体の底部まで落し込み可能な落としフタとを有し、この落としフタにティッシュペーパー取出し孔を設けたティッシュケースにおいて、少なくともこの落としフタを緑茶の茶葉ないし茶殻を粉末にしてプラスチックに混ぜて成形したことで上述の課題を解決した。
【発明の効果】
【０００９】
香炉にもお茶の香りで和ませるものがあるように、この発明の緑茶ティッシュケースは、少なくとも落としフタを緑茶の茶葉ないし茶殻を粉末にしてプラスチックに混ぜて成形したので、緑茶ティッシュケースから香る日本人に馴染みの深いお茶の芳香が緑茶ティッシュケースを使う人の気持ちを和ませる特長がある。
【００１０】
しかも緑茶ティッシュケースに納められたティッシュペーパーは緑茶の茶葉ないし茶殻をプラスチックに混ぜて成形した落としフタでフタをされているので、少なくとも落としフタから緑茶ティッシュケースの中に充満したお茶の芳香がティッシュペーパーに移り香になって、ティッシュペーパーを取出して鼻先に持ってきたときにこの移り香により使う人の気持ちを和ませる特長がある。
【００１１】
さらに、少なくともティッシュペーパーを取る際に手や指が触れやすいティッシュケースの落としフタを、緑茶の茶葉ないし茶殻を粉末にしたものをプラスチックに混ぜて成形したので、緑茶の抗菌作用ないし殺菌作用によって少なくとも落としフタは抗菌性ないし殺菌性を持つ。その結果、風邪を引いたなどの病人の手が落としフタの取出し口、即ち、ティッシュケースの取出し口付近に触れて病原体がこの付近についても落としフタの抗菌性ないし殺菌性によって病原体を弱体化または死滅させ、このティッシュケースの取出し口付近に後で触れた人の手に風邪などの病原体が移りにくくすることにより後で触れた人がティッシュケースを介して病原体に感染する危険を防止できる特長がある。
【実施例】
【００１２】
以下、図面に基づいて、この発明の緑茶ティッシュケースの実施例を説明する。
【００１３】
上部を開口した有底の容器本体１は矩形箱状にポリスチレンで形成してあり、底下面の四隅近傍には半球状の脚部２が突設してある。
【００１４】
この容器本体１の上部の容器開口部３には、この容器開口部３の内径よりわずかに小さく、容器本体１の底部まで落し込み可能な矩形板状の落としフタ４が着脱可能にはめてあり、この落としフタ４の中央付近には落としフタ４の長辺に沿って細長い取出し口５が開けられていて、この落としフタ４はポリプロピレンに乾燥した緑茶の茶葉または茶殻を粉末にしたものを混ぜて射出成形機を用いて成形してある。
【００１５】
なお、この実施例では、緑茶の茶葉または茶殻を含水率８％程度に乾燥して粉末にし、ポリプロピレンと緑茶の茶葉または茶殻の重量比を５０：５０程度になるように混合して、マスターバッチと呼ばれる着色済成形原料を作る周知ないし公知の技術を応用して粉末にした緑茶の茶葉または茶殻をポリプロピレンに混ぜた成形原料を作った。
【００１６】
次に、この実施例の緑茶ティッシュケースを用いる場合について説明する。
【００１７】
まず、緑茶ティッシュケースの容器本体１から落としフタ４を取出し、市販の紙箱入りティッシュの箱を開けて、中のティッシュペーパー６の束を取出し、このティッシュペーパー６の束を第２図に矢印Ａで示すように容器本体１の中に納める。
【００１８】
次に、容器本体１の中に納めたティッシュペーパー６の束の上に第２図に矢印Ｂで示すように落としフタ４を乗せ、落としフタ４の取出し口５から第１図および第３図に示すようにティッシュペーパー６の取出し端７を取出し口５の上側へ摘み出す。
【００１９】
以後、ティッシュペーパー６を使うときは第３図に示すように取出し口５の上側に引き出されたティッシュペーパー６の取出し端７を手８で摘み上げることによってティッシュペーパー６を取り出すことができる。
【００２０】
なお、この実施例では、落としフタ４はポリプロピレンに乾燥した緑茶の茶葉または茶殻を粉末にしたものを混ぜて射出成形機を用いて成形してあるが、プラスチックはポリプロピレンに限定するものではなく、乾燥した緑茶の茶葉または茶殻を粉末にしたものを混ぜたものが射出成形機を用いて成形可能なプラスチックであれば、例えばポリスチレン、メタクリル樹脂、ＡＳ樹脂、ＡＢＳ樹脂、ポリエチレンなど任意のプラスチックを用いることができる。
【００２１】
緑茶の茶葉または茶殻の含水率は、高すぎると原料樹脂を成形機で高温溶融したときに蒸気が発生し、成形品に銀条などの不良痕を残したり射出成形に支障をきたすことがあるので、含水率は１０％以下にするのが望ましい。
【００２２】
さらに、プラスチックと乾燥した緑茶の茶葉または茶殻の重量比も、上述に限定するものではなく、プラスチックと乾燥した緑茶の茶葉または茶殻の重量比は４０：６０乃至８０：２０程度が望ましいが、プラスチックの比率が低くなると製品の強度が下がり、緑茶の茶葉または茶殻を粉末にしたものの含有比率が低くなると製品から感じられる芳香が薄くなり、芳香の持続性も減少する。
【００２３】
粉末にした緑茶の茶葉または茶殻入りプラスチックは、上述のマスターバッチを作る方法だけでなく、無着色の原料に顔料などをブレンドするドライカラー法と呼ばれる着色技術や、プラスチックの比重や剛生を増すためタルクを添加する際に用いる添加剤の分散技術を応用することでも得ることができる。
【００２４】
容器本体１の材質もポリスチレンに限定するものではなく、適宜な剛生が得られれば、例えば、ポリスチレン、メタクリル樹脂、ＡＳ樹脂、ＡＢＳ樹脂、ポリエチレンなど任意のプラスチックで良く、容器本体１も落としフタ４と同様に緑茶の茶葉または茶殻入りのプラスチックで成形してもよい。
【００２５】
また、容器本体１および落としフタ４も矩形に限定するものではなく、内部にティッシュペーパーを収納可能で、かつ、ティッシュペーパーが取出し端を摘まんで取出し可能であれば、例えば長円形など任意の形状でよい。
【００２６】
上述の実施例で詳述したとおり、この発明の緑茶ティッシュケースでは、少なくとも緑茶の茶葉または茶殻を混ぜて成形したプラスチック製の落としフタから緑茶の芳香が漂い、使う人を和ませることができる特長がある。
【００２７】
しかもティッシュケースに納められたティッシュペーパーは落としフタでフタをされているので、少なくとも落としフタからティッシュケースの中に充満したお茶の芳香がティッシュペーパーに移り香になって、ティッシュペーパーを取出して鼻先に持ってきたときにこの移り香により使う人の気持ちを和ませる特長がある。
【００２８】
さらに、風邪を引いた人などがティッシュペーパーを取出そうとして鼻水などが付いた不潔な手で落としフタに触れても、この実施例の緑茶ティッシュケースではプラスチックに緑茶の茶葉または茶殻を粉末にしたものを混ぜて落としフタを成形したので、緑茶のもつ抗菌作用ないし殺菌作用により、不潔な手から落としフタに移った病原体も弱体化または死滅され、次に使う人が前に使った風邪引きの人の病原体にティッシュケースを介して感染する危険を防止できる特長がある。
【図面の簡単な説明】
【００２９】
【図１】この発明の実施例の緑茶ティッシュケースにティッシュペーパーを収納した状態を示す斜視図。
【図２】同じく実施例の緑茶ティッシュケースにティッシュペーパーを納める状態を示す分解斜視図。
【図３】同じく実施例の緑茶ティッシュケースからティッシュペーパーを取出す状態を示す断面図。
【符号の説明】
【００３０】
１    容器本体
２    脚部
３    容器開口部
４    落としフタ
５    取出し口
６    ティッシュペーパー
７    取出し端
８    手
【図１】
2005178891.tif 000003
【図２】
2005178891.tif 000004
【図３】
2005178891.tif 000005